(57)【要約】【課題】空気調和機の室内機の存在感、威圧感を低減すること。【解決手段】空気調和機において室内機本体と、前記室内機本体の前面側に設けられ、前面開口部を有する前面パネルとを配し、前記前面パネルに鏡を配することにより、空気調和機使用者から見ると、鏡に天井が映り込み、室内環境（色、模様）と調和し、存在感、威圧感を低くすることができる。【選択図】図１
2005201469.tif 000002
【特許請求の範囲】
【請求項１】
送風ファンと、熱交換器と、エアフィルタとを備え、室内機本体と、前記室内機本体の前面側に設けられ、少なくとも前記熱交換器の前方側に位置して前面開口部を有する前面パネルとを配し、前記前面パネルに鏡を有していることを特徴とする空気調和機。
【請求項２】
前面パネルと前期前面パネルに配した鏡のなす角度を任意に変化させることができることを特徴としたとした請求項１に記載の空気調和機。
【請求項３】
室内機本体の両側面に鏡を有していることを特徴とする請求項１または請求項２記載の空気調和機。
【請求項４】
室内機本体と該室内機本体の両側面に配された鏡のなす角度を任意に変化させることができることを特徴とする請求項３記載の空気調和機。
【発明の詳細な説明】
【技術分野】
【０００１】
本発明は空気調和機の室内機に関するものである。
【背景技術】
【０００２】
従来、この種の空気調和機の室内機は、本体の前面に絵柄を印刷することにより、室内環境と調和を図り、違和感を低減している（例えば、特許文献１参照）。図５は、特許文献１に記載された従来の空気調和機の室内機を示すものである。図５に示すように、空気調和機の室内機本体と、前記室内機本体の前面側に設けられた前面パネル２に配され、絵柄を印刷されたメッシュ状平板から構成されている。
【特許文献１】特開平１１−１３２４９８号公報
【発明の開示】
【発明が解決しようとする課題】
【０００３】
しかしながら、前記従来の構成では、室内環境と前面に印刷された絵柄の組み合わせによってはむしろ存在感、威圧感が増してしまい、汎用性が低いという課題を有していた。
【０００４】
本発明は、前記従来の課題を解決するもので、積極的に本体の前面の色彩、柄を室内環境と調和させ、いかなる室内環境においても存在感、威圧感を低めることを可能とした空気調和機の室内機を提供することを目的とする。
【課題を解決するための手段】
【０００５】
前記従来の課題を解決するために、本発明の空気調和機は、送風ファンと、熱交換器と、エアフィルタとを内装する室内機本体と、前記室内機本体の前面側に設けられ、少なくとも前記熱交換器の前方側に位置して前面開口部を有する前面パネルとを配し、前記前面パネルに鏡を有したものである。これによって、いかなる場合においても、室内環境（色、模様）に調和し、存在感、威圧感を低くすることが可能となる。
【発明の効果】
【０００６】
本発明の空気調和機の室内機は、室内機本体の構造、構成を変えることなく、室内環境（色、模様）と調和し、存在感、威圧感を低くすることができる。
【発明を実施するための最良の形態】
【０００７】
第１の発明は送風ファンと、熱交換器と、エアフィルタとを有する室内機本体と、前記室内機本体の前面側に設けられ、少なくとも前記熱交換器の前方側に位置して前面開口部を有する前面パネルとを配し、前記前面パネルに鏡を有していることにより、空気調和機使用者の位置から見ると、前面パネルに配した鏡に天井面が映り込むこととなり、室内環境（色、模様）と調和し、存在感、威圧感を低くすることができる。
【０００８】
第２の発明は、特に、第１の発明の前面パネルと前期前面パネルに配した鏡のなす角度を任意に変化させることができるようにすることにより、最も室内環境（色、模様）と調和した角度を見つけることができるようになり、より効果的に存在感、威圧感を低くすることができる。
【０００９】
第３の発明は、特に、室内機本体の両側面に鏡を有していることにより、空気調和機使用者の位置から側面を見ても、側面に配した鏡に天井面が映り込むこととなり室内環境（色、模様）と調和し、存在感、威圧感を低くすることができる。
【００１０】
第４の発明は、室内機と該室内機に配された鏡のなす角度を任意に変化させることができるようにすることにより、最も室内環境（色、模様）と調和した角度を見つけることができるようになり、より効果的に存在感、威圧感を低くすることができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における空気調和機の室内機の外観斜視図を示すものである。図１において、室内機本体１と、前記室内機本体１の前面側に設けられ、前面開口部を有する前面パネル２と、前記前面パネル２に配された鏡３を有している。
【００１３】
以上のように構成された空気調和機の室内機について、以下その作用を説明する。空気調和機使用者の位置から見ると、前面パネルに配された鏡３には天井の色、模様が映り込む。このように、本実施の形態において、鏡３を前面パネル２に配することにより、鏡に天井が映り込み、室内環境（色、模様）と調和し、存在感、威圧感を低くすることができる。
【００１４】
（実施の形態２）
図２は、本発明の第２の実施の形態における空気調和機の室内機の外観斜視図を示すものである。図２において、前記実施の形態１と同様に構成された空気調和機の室内機において、前面パネル２と前期前面パネル２に配した鏡３のなす角度を任意に変化させることができるようにしている。
【００１５】
以上のように構成された空気調和機の室内機について、以下その作用を説明する。空気調和機使用者の位置から見ると、前面パネル２に配された鏡３には天井の色、模様が映り込む。このように、本実施の形態において、前面パネル２と前期前面パネル２に配した鏡３のなす角度を任意に変化させることができるようにすることにより、最も室内環境（色、模様）と調和した角度を見つけられるようになり、より効果的に存在感、威圧感を低くすることもできる。
【００１６】
（実施の形態３）
図３は、本発明の第３の実施の形態の空気調和機の室内機の外観斜視図である。図３において、前記実施の形態１と同様に構成された空気調和機の室内ユニットにおいて、室内機本体の両側面に側面鏡４を有している。
【００１７】
以上のように構成された空気調和機の室内機について、以下その作用を説明する。空気調和機使用者の位置から見ると、室内機本体１側面に配された側面鏡４には天井の色、模様が映り込む。このように本実施の形態において、側面鏡４を室内機本体１側面に配することにより、鏡３に天井が映り込み、室内環境（色、模様）と調和し、存在感、威圧感を低くすることができる。
【００１８】
（実施の形態４）
図４は、本発明の第４の実施の形態における空気調和機の室内機の外観斜視図である。図４において、前記実施の形態１と同様に構成された空気調和機の室内機において、室内機本体と室内機本体側面に配した側面鏡４のなす角度を任意に変化させることができるようにしている。
【００１９】
以上のように構成された空気調和機の室内機について、以下その作用を説明する。空気調和機使用者の位置から見ると、室内機本体１側面に配された側面鏡４には天井の色、模
様が映り込む。このように、本実施の形態において、室内機本体１と室内機本体１側面に配した側面鏡４のなす角度を任意に変化させることができるようにすることにより、最も室内環境（色、模様）と調和した角度を見つけられるようになり、より効果的に存在感、威圧感を低くすることもできる。
【産業上の利用可能性】
【００２０】
本発明にかかる空気調和機は、本体の構造、構成を変更することなく、威圧感、存在感を低減することが可能となるので、空気調和機に限らず、照明器具、換気扇等あらゆる設置型の電化製品の用途にも適用できる。
【図面の簡単な説明】
【００２１】
【図１】本発明の実施の形態１における空気調和機の室内機の外観斜視図
【図２】本発明の実施の形態２における空気調和機の室内機の外観斜視図
【図３】本発明の実施の形態３における空気調和機の室内機の外観斜視図
【図４】本発明の実施の形態４における空気調和機の室内機の外観斜視図
【図５】従来の空気調和機の室内機を示す斜視図
【符号の説明】
【００２２】
１  室内機本体
２  前面パネル
３  鏡
４  側面鏡
５  メッシュ状平板
【図１】
2005201469.tif 000003
【図２】
2005201469.tif 000004
【図３】
2005201469.tif 000005
【図４】
2005201469.tif 000006
【図５】
2005201469.tif 000007